(57)【特許請求の範囲】
【請求項１】
挟着片を下端内方に向けて折曲形成させた脚片と、該脚片を下方に延出させた台座部とを含んで形成された挟着部材を２つ、上記挟着片を対向させて相互に連結し、上記脚片を緊締して、上記挟着片を相互に近接させ、波形屋根の頂部より突出したボルト体に挟着、固定するようにした屋根上取付具の取付構造であって、
上記ボルト体に装着、固定される管状体をさらに備えた構成とされ、上記管状体は、縮径用スリットと、上記挟着片の先端を係止させる係止部とを有し、該係止部が上記管状体の外周胴部に形成された鍔片より構成されており、
上記２つの挟着部材のそれぞれは、ガイド突片と、該ガイド突片を貫挿可能な寸法とした貫挿開口部とを一体に備えた構造とされ、これら２つの挟着部材のガイド突片と貫挿開口部をそれぞれ雌雄結合させて２つの挟着部材を連結するとともに、上記挟着片を、上記ボルト体に固定された管状体の係止部に係止させて、上記ボルト体に挟着固定するようにしたことを特徴とする屋根上取付具の取付構造。
【請求項２】
挟着片を下端内方に向けて折曲形成させた脚片と、該脚片を下方に延出させた台座部とを含んで形成された挟着部材を２つ、上記挟着片を対向させて相互に連結し、上記脚片を緊締して、上記挟着片を相互に近接させ、波形屋根の頂部より突出したボルト体に挟着、固定するようにした屋根上取付具の取付構造であって、
上記ボルト体に装着、固定される管状体をさらに備えた構成とされ、上記管状体は、下端から上端まで延びる縮径用スリットと、上記挟着片の先端を係止させる係止部とを有し、該係止部が上記管状体の外周胴部を締め付ける締付バンドより構成されており、
上記２つの挟着部材のそれぞれは、ガイド突片と、該ガイド突片を貫挿可能な寸法とした貫挿開口部とを一体に備えた構造とされ、これら２つの挟着部材のガイド突片と貫挿開口部をそれぞれ雌雄結合させて２つの挟着部材を連結するとともに、上記挟着片を、上記ボルト体に固定された管状体の係止部に係止させて、上記ボルト体に挟着固定するようにしたことを特徴とする屋根上取付具の取付構造。
【請求項３】
挟着片を下端内方に向けて折曲形成させた脚片と、該脚片を下方に延出させた台座部とを含んで形成された挟着部材を２つ、上記挟着片を対向させて相互に連結し、上記脚片を緊締して、上記挟着片を相互に近接させ、波形屋根の頂部より突出したボルト体に挟着、固定するようにした屋根上取付具の取付構造であって、
上記ボルト体に装着、固定される管状体をさらに備えた構成とされ、上記管状体は、下端から上端まで延びる縮径用スリットと、上記挟着片の先端を係止させる係止部とを有し、該係止部が上記管状体の外周胴部に形成された凹溝より構成されており、
上記２つの挟着部材のそれぞれは、ガイド突片と、該ガイド突片を貫挿可能な寸法とした貫挿開口部とを一体に備えた構造とされ、これら２つの挟着部材のガイド突片と貫挿開口部をそれぞれ雌雄結合させて２つの挟着部材を連結するとともに、上記挟着片を、上記ボルト体に固定された管状体の係止部に係止させて、上記ボルト体に挟着固定するようにしたことを特徴とする屋根上取付具の取付構造。
【発明の詳細な説明】
【技術分野】
【０００１】
本発明は、波形屋根の頂部より突出したボルト体に挟着させて屋根上に取り付けるようにした屋根上取付具の取付構造に関する。
【背景技術】
【０００２】
一般に、折板屋根（角波形屋根）、丸波形屋根等の波形屋根の上面に、例えばテレビアンテナや空調機器、太陽電池パネル、遮熱シート等の各種機器・部材類を配設することが実施されており、従来には、各種機器・部材類を屋根上に取り付けるための種々の屋根上取付具が提案されている（例えば、特許文献１参照）。
【０００３】
特に、山部と谷部とが交互に連続してなる波形屋根における山部の頂部で、隣接する屋根材同士を重ねてなる重合部をボルト体とナットの螺着によって連結、固定した構造のものでは、重合部を屋根の下方より貫通して屋根上に突出された、屋根材連結のためのボルト体の雄ネジ部を、先端が相対向する挟着片で挟み込んで固定する構造とした屋根上取付具も提案されている。
【０００４】
この屋根上取付具は、略門形に形成した挟着具の両脚片を横方向に貫通する緊締用ボルト、ナットで両脚片を緊締して、両脚片のそれぞれの下端から対向するように延びた両挟着片をボルト体に挟着させる構造となっている。そのため、挟着片の先端がボルト体のネジ溝に食い込んだ状態で固定されるので、屋根上取付具が容易に外れるおそれはない。
【０００５】
また、特許文献１のものは、挟着具が支点連結された一対の挟着部材より構成され、ハゼ部に対して挟着する構成となっているが、この種のものを、両挟着片をボルト体に挟着させる構造に適用させた場合でも、同様に、屋根上取付具が容易に外れるおそれはない。
【先行技術文献】
【特許文献】
【０００６】
【特許文献１】特許第３３６８３７４号公報
【発明の概要】
【発明が解決しようとする課題】
【０００７】
しかしながら、一対の挟着部材を結合させて屋根上に設置するものでは、それぞれの挟着部材の連結部分に、連結、挟着動作（上記特許文献の例では回転動作）をスムーズにさせるための所定のクリアランスを有しており、そのため片締め（不均一な締め付け）となることがあり、両挟着部材を連結しボルト体に挟着させたときに両者が均一でバランスのとれた状態にならないことがあった。特に、両挟着部材が異なる形状の場合にはその可能性が高い。
【０００８】
さらに上記特許文献のものでは、一対の挟着部材を開閉自在に上板同士で支点連結し、てこの原理で挟着片同士を相互近接させてボルト体に挟着させるようにしているが、支点のみの連結であるため一方にわずかに傾いた状態でボルト体に挟着するおそれがあった。
【０００９】
一方、挟着具の取り付けに使用するボルト体は、屋根材同士の連結に使用している既存のボルトを代用することが通例であり、その場合にはボルト体のネジ山が経年変化で錆びついたり、傷ついていたり、擦り減っていたりして損傷していることがあり、そのようにネジ山が損傷したボルト体への挟着では十分な挟着強度が得られないという問題があった。
【００１０】
したがって、ボルト体の損傷による挟着片の挟着力の低下という悪条件に、一対の挟着部材の結合バランスの悪さという条件が付加された場合には、挟着強度がさらに低下するおそれがあった。
【００１１】
本発明は、このような事情を考慮して提案されたもので、その目的は、２つの挟着部材がバランスよく連結してボルト体へ挟着でき、かつ、ボルト体の状態によらず挟着片による挟着が外れにくく強固になされる屋根上取付具の取付構造を提供することにある。
【課題を解決するための手段】
【００１２】
上記目的を達成するために、請求項１に記載の屋根上取付具の取付構造は、挟着片を下端内方に向けて折曲形成させた脚片と、該脚片を下方に延出させた台座部とを含んで形成された挟着部材を２つ、挟着片を対向させて相互に連結し、脚片を緊締して、挟着片を相互に近接させ、波形屋根の頂部より突出したボルト体に挟着、固定するようにした屋根上取付具の取付構造であって、ボルト体に装着、固定される管状体をさらに備えた構成とされ、管状体は、縮径用スリットと、挟着片の先端を係止させる係止部とを有し、該係止部が上記管状体の外周胴部に形成された鍔片より構成されており、２つの挟着部材のそれぞれは、ガイド突片と、該ガイド突片を貫挿可能な寸法とした貫挿開口部とを一体に備えた構造とされ、これら２つの挟着部材のガイド突片と貫挿開口部をそれぞれ雌雄結合させて２つの挟着部材を連結するとともに、挟着片を、ボルト体に固定された管状体の係止部に係止させて、ボルト体に挟着固定するようにしたことを特徴とする。
【００１３】
請求項２に記載の屋根上取付具の取付構造は、挟着片を下端内方に向けて折曲形成させた脚片と、該脚片を下方に延出させた台座部とを含んで形成された挟着部材を２つ、挟着片を対向させて相互に連結し、脚片を緊締して、挟着片を相互に近接させ、波形屋根の頂部より突出したボルト体に挟着、固定するようにした屋根上取付具の取付構造であって、ボルト体に装着、固定される管状体をさらに備えた構成とされ、管状体は、下端から上端まで延びる縮径用スリットと、挟着片の先端を係止させる係止部とを有し、該係止部が管状体の外周胴部を締め付ける締付バンドより構成されており、２つの挟着部材のそれぞれは、ガイド突片と、該ガイド突片を貫挿可能な寸法とした貫挿開口部とを一体に備えた構造とされ、これら２つの挟着部材のガイド突片と貫挿開口部をそれぞれ雌雄結合させて２つの挟着部材を連結するとともに、挟着片を、ボルト体に固定された管状体の係止部に係止させて、ボルト体に挟着固定するようにしたことを特徴とする。
【００１４】
請求項３に記載の屋根上取付具の取付構造は、挟着片を下端内方に向けて折曲形成させた脚片と、該脚片を下方に延出させた台座部とを含んで形成された挟着部材を２つ、挟着片を対向させて相互に連結し、脚片を緊締して、挟着片を相互に近接させ、波形屋根の頂部より突出したボルト体に挟着、固定するようにした屋根上取付具の取付構造であって、ボルト体に装着、固定される管状体をさらに備えた構成とされ、管状体は、下端から上端まで延びる縮径用スリットと、挟着片の先端を係止させる係止部とを有し、該係止部が管状体の外周胴部に形成された凹溝より構成されており、２つの挟着部材のそれぞれは、ガイド突片と、該ガイド突片を貫挿可能な寸法とした貫挿開口部とを一体に備えた構造とされ、これら２つの挟着部材のガイド突片と貫挿開口部をそれぞれ雌雄結合させて２つの挟着部材を連結するとともに、挟着片を、ボルト体に固定された管状体の係止部に係止させて、ボルト体に挟着固定するようにしたことを特徴とする。
【００１５】
（削除）
【発明の効果】
【００１６】
請求項１〜３に記載の屋根上取付具の取付構造によれば、２つの挟着部材のそれぞれは、ガイド突片と、ガイド突片を貫挿可能な寸法とした貫挿開口部とを一体に備え、これら２つの挟着部材のガイド突片と貫挿開口部をそれぞれ雌雄結合させて２つの挟着部材を連結させるようになっているので、両挟着部材はバランスよく均一な状態で結合して、波形屋根より突出したボルト体に挟着できる。つまり、各挟着部材が雌雄一体構造であるため、片締めになる可能性は低く、バランスよく結合できる。
【００１７】
さらに、挟着片がボルト体に固定された管状体の係止部に係止されて、ボルト体に挟着し固定される構造となっているため、屋根上取付具がボルト体から外れるおそれはほとんどない。
【００１８】
すなわち、この屋根上取付具の取付構造によれば、２つの挟着部材のバランスのとれた結合と、挟着片の管状体の係止部への係止とがあいまって、ボルト体への強固な挟着が実現でき、ボルト体から外れることを確実に阻止できる。また、ボルト体に対して管状体を装着させて挟着片がボルト体に直接係止しない構造となっているため、挟着具の装着対象であるボルト体がネジ山の損傷により十分な被挟着性を有していない場合に特に有効である。
【００１９】
ようするに、２つの挟着部材がバランスよく結合でき、その状態を保持しやすい構造であるため、外力に対して堅固であり挟着が緩むおそれはほとんどないし、かりに結合のバランスが悪くなったとしても、挟着片がボルト体に管状体を介してしっかりと係止されるため挟着が外れるようなことはない。
【００２０】
また、特に請求項１に記載の屋根上取付具の取付構造によれば、挟着片がボルト体に装着した管状体の外周方向へ突出した鍔片に係止される構造であるため、挟着具のボルト体からの抜け出しを確実に阻止できる。また、鍔片を有した管状体のみをボルト体に装着させる構造であるため、取付操作も簡易に行える。
【００２１】
請求項２に記載の屋根上取付具の取付構造によれば、挟着片がボルト体に装着した管状体を締め付ける締付バンドに係止される構造であるため、挟着具のボルト体からの抜け出しを確実に阻止できる。また、締付バンドを使用しているので、ボルト体と管状体との密着固定強度にすぐれている。
【００２２】
請求項３に記載の屋根上取付具の取付構造によれば、挟着片がボルト体に装着した管状体の外周胴部に形成された凹溝に係止される構造であるため、挟着具のボルト体からの抜け出しを確実に阻止できる。また、外周胴部にネジ溝が形成された管状ネジを管状体として使用できるので、簡便に実施できる。
【図面の簡単な説明】
【００２３】
【図１】本発明に係る屋根上取付具の取付構造の第１実施形態の説明図であり、屋根上取付具の波形屋根への取り付け前の状態を示した斜視図である。
【図２】（ａ）、（ｂ）は、同屋根上取付具に使用される管状体のボルト体への装着後の状態を示す正面図、側面図である。
【図３】（ａ）、（ｂ）は、同屋根上取付具の施工手順を示す正面図である。
【図４】本発明に係る屋根上取付具の取付構造の第２実施形態の説明図であり、屋根上取付具の波形屋根への取り付け前の状態を示した斜視図である。
【図５】（ａ）、（ｂ）は、同屋根上取付具に使用される管状体および締付バンドのボルト体への装着後の状態を示す正面図、側面図である。
【図６】（ａ）、（ｂ）は、同屋根上取付具の施工手順を示す正面図である。
【図７】本発明に係る屋根上取付具の取付構造の第３実施形態の説明図であり、屋根上取付具の波形屋根への取り付け前の状態を示した斜視図である。
【図８】（ａ）、（ｂ）は、同屋根上取付具に使用される管状体のボルト体への装着後の状態を示す正面図、側面図である。
【図９】（ａ）、（ｂ）は、同屋根上取付具の施工手順を示す正面図である。
【発明を実施するための形態】
【００２４】
図１は、本発明に係る屋根上取付具の取付構造の第１実施形態の説明図であり、屋根上取付具の波形屋根への取り付け前の状態を示した斜視図である。図２（ａ）、（ｂ）は、同屋根上取付具に使用される管状体のボルト体への装着後の状態を示す正面図、側面図である。図３（ａ）、（ｂ）は、同屋根上取付具の施工手順を示す正面図である。
【００２５】
この屋根上取付具Ａが取り付けされる波形屋根としては、図例として示した折板屋根Ｙ（角波形屋根）や丸波形屋根が挙げられる。また、屋根の素材としては、金属や合成樹脂、セメント系等のものが適用できる。
【００２６】
図例として示した折板屋根Ｙは、山部Ｙ１と谷部Ｙ２が交互に連続する屋根であって、複数の折板屋根材を側端縁の山部Ｙ１の頂部Ｙ１ａで重合し、その重合部でボルト体ＢとナットＢ２の螺着によって連結した重ね式接合構造となっている。また、ボルト孔からの水の浸入を防止するために、ナットＢ２と頂部Ｙ１ａとの間に防水パッキンＣ１が取り付けられ、さらに、ナットＢ２と防水パッキンＣ１との間に防水パッキンＣ１を覆う山座Ｃが設けられている。
【００２７】
また、折板屋根Ｙの裏側には、正面視で折板屋根Ｙと略同形状をなす、ボルト止めのための支持金具Ｙ３が取り付けられている。なお、屋根上取付具Ａを取り付けるためのボルト体Ｂの取付位置は隣接する折板屋根材の接合部に限らず、他の頂部に支持金具Ｙ３を用いてボルト体Ｂを取り付けてもよい。
【００２８】
このように頂部Ｙ１ａより突き出たボルト体Ｂには、中空部を有した管状体３１が装着される。
【００２９】
管状体３１は、本体の上端部に鍔片３１ｅを備え、下端から鍔片３１ｅの上端にいたるまで側方に開口した１本の縮径用スリット３１ａが形成され、外周胴部３１ｂおよび内周面３１ｃにはネジ溝（山）が形成されており、ボルト体Ｂに被せた状態で、後述する挟着具１の挟着片１３を本体に挟着させることで弾性的に縮径してボルト体Ｂに固定できる構造となっている。なお、外周胴部３１ｂには挟着片１３が滑ることがないように、図示するようなネジ溝３１ｄ等の凹凸を設けることが望ましい。
【００３０】
管状体３１のボルト体Ｂへの装着は、管状体３１の内周面３１ｃをボルト体Ｂの軸部Ｂ１に螺着させるか、あるいはボルト体Ｂの軸部Ｂ１のネジ山が損傷している場合等にはハンマーで管状体３１を叩いてボルト体Ｂの軸部Ｂ１に圧嵌することでなされる。なお、管状体３１はボルト体Ｂの全長を覆うものでもよい。
【００３１】
一方、屋根上取付具Ａの本体である挟着具１は、金属板または硬質樹脂板よりなり、折板屋根Ｙの頂部Ｙ１ａより上方に突出した重合部連結用のボルト体Ｂに管状体３１を介して挟着して、取り付け、固定する構造となっている。
【００３２】
この挟着具１は、連結して挟着具１を構成するための２つの挟着部材１０、１０を含んで構成されており、２つの挟着部材１０、１０はそれぞれ、ボルト体Ｂを挟着する挟着片１３を下端内方に向けて折曲形成させた脚片１２と、脚片１２を下方に延出させた台座部１１とを含んで、同一寸法、同一形状に形成されている。
【００３３】
それぞれの台座部１１における、２つの挟着部材１０、１０を連結する際に相互に隣接する辺縁中央には、屋根上取付物取付用の取付用ボルト３を挟み込んで固定するための切欠き凹所１１ｂが形成されている。また、その辺縁の切欠き凹所１１ｂの両側方には、辺縁より垂下した対向片１１ａが分離形成されており、一側方の対向片１１ａには対向する相手側の挟着部材１０の対向片１１ａの方向に向かって突出したガイド突片１０ａが形成され、他側方の対向片１１ａには、そのガイド突片１０ａを貫挿可能な寸法とした貫挿開口部１０ｂが形成されている。
【００３４】
すなわち、一方の挟着部材１０のガイド突片１０ａが他方の挟着部材１０の貫挿開口部１０ｂに貫挿し、かつ他方の挟着部材１０のガイド突片１０ａが一方の挟着部材１０の貫挿開口部１０ｂに貫挿することで、２つの挟着部材１０、１０は結合する。つまり、両挟着部材１０、１０はそれぞれ雌雄一体構造であり、２組の雌雄部によって相互に結合する。
【００３５】
なお、挟着具１は２つの挟着部材１０、１０の結合とともに、緊締用ボルト２５と緊締用ナット２６との螺合による緊締によって一体化固定する構造であるため、貫挿による結合によって両者が固定状態にならなくてもよく、そのためガイド突片１０ａの貫挿開口部１０ｂに対する貫挿は遊貫であってもよい。結合バランスの調整のしやすさを考慮すれば、遊貫構造とするほうが望ましい。
【００３６】
挟着具１は、２つの挟着部材１０、１０の各挟着片１３の先端を相互に近接させて、ボルト体Ｂに挟着する構造となっている。挟着具１の緊締は、対向する両脚片１２、１２に開設された軸孔１２ａ、１２ａに貫通された緊締用ボルト２５と、緊締用ナット２６との螺合によってなされる。なお、２７はワッシャである。また、台座部１１の中央に立設された取付用ボルト３に、各種機器・部材類を取り付け可能にしている。
【００３７】
また、脚片１２の下端より折曲形成された挟着片１３は、基部片１３ａと段部片１３ｂとを先端に向けて昇段状に備えた形状となっている。基部片１３ａは挟着具１を屋根上に取り付けたときに頂部Ｙ１ａに着接するように形成され、一方、段部片１３ｂは挟着具１を屋根上に取り付けたときに山座Ｃの上に配したナットＢ２よりも高く配されるように形成されている。つまり、２つの挟着部材１０、１０は、挟着具１を屋根上に取り付けたときには、山座Ｃおよびその上のナットＢ２と抵触しないように折板屋根Ｙの頂部Ｙ１ａに着接された状態となる。
【００３８】
また、段部片１３ｂの先端中央には、図１の部分拡大平面図に示すように、折板屋根Ｙの頂部Ｙ１ａの上面に突出した管状体３１の外周胴部３１ｂに嵌合可能な凹所１４が形成され、その凹所１４の中央の底部には底部片１４ａがやや上方に切り起こされている。この底部片１４ａによって管状体３１に対して鋭角的に嵌合、挟着することができる。なお、凹所１４の両側に挟着片１３を補強するリブを形成してもよい。
【００３９】
以上のように構成した挟着具１を含む屋根上取付具Ａは、以下の要領で折板屋根Ｙに取り付けて使用する。
【００４０】
まず、一方の挟着部材１０の台座部１１の切欠き凹所１１ｂに取付用ボルト３の軸部を嵌め入れ、上方に突き出た軸部に落下防止プレート４を装着して仮止めしておく。つぎに、２つの挟着部材１０、１０の脚片１２、１２の軸孔１２ａ、１２ａに緊締用ボルト２５の軸部を貫通させたうえで、緊締用ボルト２５の先端側から緊締用ナット２６を軽く締めるとともに、２つの挟着部材１０、１０のガイド突片１０ａと貫挿開口部１０ｂを軽く雌雄結合（ガイド突片１０ａの先端部を貫挿開口部１０ｂに挿入）させて仮止め状態にし、その挟着具１を、折板屋根Ｙより突出し、管状体３１が装着されたボルト体Ｂの上方から、凹所１４、１４間にボルト体Ｂが嵌挿されるようにして折板屋根Ｙの頂部Ｙ１ａの上面に載置する（図３（ａ）参照）。
【００４１】
次に、仮止め状態にしていた緊締用ボルト２５および緊締用ナット２６を締め付けていくと、２つのガイド突片１０ａ、１０ａが対応した貫挿開口部１０ｂ、１０ｂに貫挿して２つの台座部１１、１１が隙間なく密着する。それと同時に、螺合による締め付け力によって両脚片１２、１２が近接して、両凹所１４、１４が管状体３１の外周胴部３１ｂを取り囲むように挟み込むとともに、両凹所１４、１４の底部片１４ａ、１４ａが管状体３１の鍔片３１ｅに係止されるとともに、底部片１４ａ、１４ａの下部の角が管状体３１のネジ溝３１ｄに係止され、同時に両側部１４ｂ、１４ｂも管状体３１のネジ溝３１ｄに係止されて、挟着具１はボルト体Ｂにしっかりと固定される。（図３（ｂ）および同図における要部拡大部分縦断面図を参照）。
【００４２】
なお、挟着片１３の凹所１４は底部片１４ａを切り起こさずに、両側部１４ｂ、１４ｂおよび底部の３箇所が管状体３１の鍔片３１ｅに係止されるような構成としてもよい。
【００４３】
こうして折板屋根Ｙに取り付けた屋根上取付具Ａの台座部１１の上には、各種機器・部材類を取り付けることができる。
【００４４】
以上に示した施工手順例では、２つの挟着部材１０、１０を仮結合させた状態で屋根上に取り付けるようにしているが（図３（ａ）、（ｂ）参照）、両挟着部材１０、１０を分離した状態でボルト体Ｂを挟んで屋根上に載置してから、両挟着部材１０、１０をスライドさせながら結合させるようにしてもよい。
【００４５】
以上に示した屋根上取付具の取付構造によれば、２つの挟着部材１０、１０のそれぞれが、ガイド突片１０ａと、貫挿開口部１０ｂとを一体に備えて雌雄一体構造となっているため、両者をバランスよく均一な状態で結合させて折板屋根Ｙより突出したボルト体Ｂに挟着させることができる。
【００４６】
さらに、挟着片１３がボルト体Ｂに固定された管状体３１の鍔片３１ｅ（係止部）に係止されて、ボルト体Ｂに挟着し固定される構造となっているため、屋根上取付具Ａがボルト体Ｂから外れるおそれはほとんどない。また、鍔片３１ｅを有した管状体３１のみをボルト体Ｂに装着させる構造であるため、取付操作も簡易に行える。
【００４７】
したがって、この屋根上取付具の取付構造によれば、２つの挟着部材１０、１０のバランスのとれた結合と、挟着片１３の管状体３１の鍔片３１ｅへの係止とがあいまって、ボルト体Ｂへの強固な挟着が実現でき、ボルト体Ｂから外れることを確実に阻止できる。また、ボルト体Ｂに対して管状体３１を装着させて挟着片１３がボルト体Ｂに直接係止しない構造となっているため、挟着具１の装着対象であるボルト体Ｂがネジ山の損傷により十分な被挟着性を有していない場合に特に有効である。
【００４８】
ようするに、２つの挟着部材１０、１０がバランスよく結合でき、その状態を保持しやすい構造であるため、外力に対して堅固であり挟着が緩むおそれはほとんどないし、かりに結合のバランスが悪くなったとしても、挟着片１３がボルト体Ｂに管状体３１を介してしっかりと係止されるため挟着が外れるようなことはない。
【００４９】
ついで、本発明の第２実施形態について説明する。
【００５０】
図４は、本発明に係る屋根上取付具の取付構造の第２実施形態の説明図であり、屋根上取付具の波形屋根への取り付け前の状態を示した斜視図である。図５（ａ）、（ｂ）は、同屋根上取付具に使用される管状体および締付バンドのボルト体への装着後の状態を示す正面図、側面図である。図６（ａ）、（ｂ）は、同屋根上取付具の施工手順を示す正面図である。
【００５１】
この屋根上取付具Ａが取り付けされる波形屋根としては、第１実施形態のものと同様、図例として示した折板屋根Ｙ（角波形屋根）や丸波形屋根が挙げられる。また、屋根の素材としては、金属や合成樹脂、セメント系等のものが適用できる。
【００５２】
折板屋根Ｙの構造および屋根上取付具Ａを装着するためのボルト体Ｂの取付構造については、第１実施形態と同様であるため、同一符号を付してその説明は割愛する。
【００５３】
管状体３１は、下端から上端まで長手方向に沿って延びる縮径用スリット３１ａを有し、外周胴部３１ｂおよび内周面３１ｃにはネジ溝（山）が形成されており、ボルト体Ｂに被せた状態で、外周胴部３１ｂを締付バンド３２で締め付けることで弾性的に縮径してボルト体Ｂに固定できる構造となっている。なお、外周胴部３１ｂのネジ溝３１ｄは挟着具１を挟着させるための凹溝を構成しており、かならずしもネジ溝でなくてもよい。また、下端から中央部まで形成されたスリットを２本設けて、縮径用スリットを構成してもよい。
【００５４】
管状体３１のボルト体Ｂへの装着は、管状体３１の内周面３１ｃをボルト体Ｂの軸部Ｂ１に螺着させるか、あるいはボルト体Ｂの軸部Ｂ１のネジ山が損傷している場合等にはハンマーで管状体３１を叩いてボルト体Ｂの軸部Ｂ１に圧嵌することでなされる。なお、管状体３１はボルト体Ｂの全長を覆うように装着することが望ましい。
【００５５】
また、締付バンド３２は、帯板を加工してリング状の本体部３２ａを形成するとともに、本体部３２ａの両端から締付片３２ｂをほぼ平行に延設したもので、両締付片３２ｂにボルト３３用の貫通孔３２ｃを設け、ワッシャ３５を介してナット３４で両締付片３２ｂを締め合わせるようになっている。両締付片３２ｂは、先端が差し合わせ状に屈折し、一方の締付片３２ｂの屈折片３２ｂａが他方の締付片３２ｂに突き当たり、その箇所が本体部３２ａを閉じる支点となる。
【００５６】
締付バンド３２は、管状体３１の縮径用スリット３１ａが形成された個所に取り付けるものであるが、挟着具１の挟着片１３の取り付けを考慮して、図５に示すように、管状体３１の下端部を露出させるように取り付けることが望ましい。
【００５７】
なお、図４においては締付バンド３２の締付片３２ｂ、３２ｂを頂部Ｙ１ａの形成方向に沿って配したものを示したが（図５（ａ）の２点鎖線で示した位置）、図５（ｂ）に示したように、締付片３２ｂを９０度回転させた位置に配して、締付片３２ｂが２つの挟着部材１０、１０をボルト体Ｂ（管状体３１）に挟着させる際にじゃまにならないようにするほうが望ましい。
【００５８】
一方、屋根上取付具Ａの本体である挟着具１は、金属板または硬質樹脂板よりなり、折板屋根Ｙの頂部Ｙ１ａより上方に突出した重合部連結用のボルト体Ｂに管状体３１を介して挟着して、取り付け、固定する構造となっている。
【００５９】
この挟着具１は、連結して挟着具１を構成するための２つの挟着部材１０を含んで構成されており、２つの挟着部材１０、１０はそれぞれ、ボルト体Ｂを挟着する挟着片１３を下端内方に向けて折曲形成させた脚片１２と、脚片１２を下方に延出させた台座部１１とを含んで、同一寸法、同一形状に形成されている。
【００６０】
具体的な挟着具１（挟着部材１０）の詳細構造、特に挟着部材１０を結合させるためガイド突片１０ａと貫挿開口部１０ｂの構造は、第１実施形態に示したものと同様であるため、同一の符号を付してその説明は省略する。
【００６１】
以上のように構成した挟着具１を含む屋根上取付具Ａは、以下の要領で折板屋根Ｙに取り付けて使用する。
【００６２】
まず、一方の挟着部材１０の台座部１１の切欠き凹所１１ｂに取付用ボルト３の軸部を嵌め入れ、上方に突き出た軸部に落下防止プレート４を装着して仮止めしておく。つぎに、２つの挟着部材１０、１０の脚片１２、１２の軸孔１２ａ、１２ａに緊締用ボルト２５の軸部を貫通させたうえで、緊締用ボルト２５の先端側から緊締用ナット２６を軽く締めるとともに、２つの挟着部材１０、１０のガイド突片１０ａと貫挿開口部１０ｂを軽く雌雄結合（ガイド突片１０ａの先端部を貫挿開口部１０ｂに挿入）させて仮止め状態にし、その挟着具１を、折板屋根Ｙより突出し、管状体３１を締付バンド３２で装着したボルト体Ｂの上方から、凹所１４、１４間にボルト体Ｂが嵌挿されるようにして折板屋根Ｙの頂部Ｙ１ａの上面に載置する（図６（ａ）参照）。
【００６３】
次に、仮止め状態にしていた緊締用ボルト２５および緊締用ナット２６を締め付けていくと、２つのガイド突片１０ａ、１０ａが対応した貫挿開口部１０ｂ、１０ｂに貫挿して２つの台座部１１、１１が隙間なく密着する。それと同時に、螺合による締め付け力によって両脚片１２、１２が近接して、両凹所１４、１４が管状体３１の外周胴部３１ｂを取り囲むように挟み込むとともに、両凹所１４、１４の底部片１４ａ、１４ａが締付バンド３２の本体部３２ａに係止されるとともに、底部片１４ａの下部の角が管状体３１のネジ溝３１ｄに係止され、同時に両側部１４ｂ、１４ｂも管状体３１のネジ溝３１ｄに係止されて、挟着具１はボルト体Ｂにしっかりと固定される（図６（ｂ）および同図における要部拡大部分縦断面図を参照）。
【００６４】
なお、挟着片１３の凹所１４は底部片１４ａを切り起こさずに、両側部１４ｂ、１４ｂおよび底部の３箇所が締付バンド３２に係止されるような構成としてもよい。
【００６５】
こうして折板屋根Ｙに取り付けた屋根上取付具Ａの台座部１１の上には、各種機器・部材類を取り付けることができる。
【００６６】
以上に示した屋根上取付具の取付構造によれば、第１実施形態と同様、２つの挟着部材１０、１０のそれぞれが、ガイド突片１０ａと、貫挿開口部１０ｂとを一体に備えて雌雄一体構造となっているため、両者をバランスよく均一な状態で結合させて折板屋根Ｙより突出したボルト体Ｂに挟着させることができる。
【００６７】
さらに、挟着片１３がボルト体Ｂに固定された管状体３１を締め付けるための締付バンド３２（係止部）に係止されて、ボルト体Ｂに挟着し固定される構造となっているため、屋根上取付具Ａがボルト体Ｂから外れるおそれはほとんどない。また、締付バンド３２を使用して管状体３１を締め付けているので、ボルト体Ｂと管状体３１との密着固定強度を高くできる。
【００６８】
したがって、この屋根上取付具の取付構造によれば、２つの挟着部材１０、１０のバランスのとれた結合と、挟着片１３の管状体３１の係止部への係止とがあいまって、ボルト体Ｂへの強固な挟着が実現でき、ボルト体Ｂから外れることを確実に阻止できる。また、ボルト体Ｂに対して管状体３１を装着させて挟着片１３がボルト体Ｂに直接係止しない構造となっているため、挟着具１の装着対象であるボルト体Ｂがネジ山の損傷により十分な被挟着性を有していない場合に特に有効である。
【００６９】
ようするに、２つの挟着部材１０、１０がバランスよく結合でき、その状態を保持しやすい構造であるため、外力に対して堅固であり挟着が緩むおそれはほとんどないし、かりに結合のバランスが悪くなったとしても、挟着片１３がボルト体Ｂに管状体３１を介してしっかりと係止されるため挟着が外れるようなことはない。
【００７０】
ついで、本発明の第３実施形態について説明する。
【００７１】
図７は、本発明に係る屋根上取付具の取付構造の第３実施形態の説明図であり、屋根上取付具の波形屋根への取り付け前の状態を示した斜視図である。図８（ａ）、（ｂ）は、同屋根上取付具に使用される管状体のボルト体への装着後の状態を示す正面図、側面図である。図９（ａ）、（ｂ）は、同屋根上取付具の施工手順を示す正面図である。
【００７２】
この屋根上取付具Ａが取り付けされる波形屋根としては、第１実施形態のものと同様、図例として示した折板屋根Ｙ（角波形屋根）や丸波形屋根が挙げられる。また、屋根の素材としては、金属や合成樹脂、セメント系等のものが適用できる。
【００７３】
折板屋根Ｙの構造および屋根上取付具Ａを装着するためのボルト体Ｂの取付構造については、第１実施形態と同様であるため、同一符号を付してその説明は割愛する。
【００７４】
管状体３１は、下端から上端まで長手方向に沿って延びる縮径用スリット３１ａを有し、外周胴部３１ｂおよび内周面３１ｃにはネジ溝３１ｄが形成されており、ボルト体Ｂに被せた状態で、外周胴部３１ｂを挟着具１で挟着し締め付けることで弾性的に縮径してボルト体Ｂに固定できる構造となっている。なお、外周胴部３１ｂのネジ溝３１ｄは挟着具１を挟着させるための凹溝を構成しており、かならずしもネジ溝でなくてもよい。また、下端から中央部まで形成されたスリットを２本以上設けて、縮径用スリットを構成してもよい。
【００７５】
管状体３１のボルト体Ｂへの装着は、管状体３１の内周面３１ｃをボルト体Ｂの軸部Ｂ１に螺着させるか、あるいはボルト体Ｂの軸部Ｂ１のネジ山が損傷している場合等にはハンマーで管状体３１を叩いてボルト体Ｂの軸部Ｂ１に圧嵌することでなされる。なお、管状体３１はボルト体Ｂの全長を覆うように装着することが望ましい。
【００７６】
一方、屋根上取付具Ａの本体である挟着具１は、金属板または硬質樹脂板よりなり、折板屋根Ｙの頂部Ｙ１ａより上方に突出した重合部連結用のボルト体Ｂに管状体３１を介して挟着して、取り付け、固定する構造となっている。
【００７７】
この挟着具１は、連結して挟着具１を構成するための２つの挟着部材１０を含んで構成されており、２つの挟着部材１０、１０はそれぞれ、ボルト体Ｂを挟着する挟着片１３を下端内方に向けて折曲形成させた脚片１２と、脚片１２を下方に延出させた台座部１１とを含んで、同一寸法、同一形状に形成されている。
【００７８】
具体的な挟着具１（挟着部材１０）の詳細構造、特に挟着部材１０を結合させるためガイド突片１０ａと貫挿開口部１０ｂの構造は、第１実施形態に示したものと同様であるため、同一の符号を付してその説明は省略する。
【００７９】
以上のように構成した挟着具１を含む屋根上取付具Ａは、以下の要領で折板屋根Ｙに取り付けて使用する。
【００８０】
まず、一方の挟着部材１０の台座部１１の切欠き凹所１１ｂに取付用ボルト３の軸部を嵌め入れ、上方に突き出た軸部に落下防止プレート４を装着して仮止めしておく。つぎに、２つの挟着部材１０、１０の脚片１２、１２の軸孔１２ａ、１２ａに緊締用ボルト２５の軸部を貫通させたうえで、緊締用ボルト２５の先端側から緊締用ナット２６を軽く締めるとともに、２つの挟着部材１０、１０のガイド突片１０ａと貫挿開口部１０ｂを軽く雌雄結合（ガイド突片１０ａの先端部を貫挿開口部１０ｂに挿入）させて仮止め状態にし、その挟着具１を、折板屋根Ｙより突出し、管状体３１を装着したボルト体Ｂの上方から、凹所１４、１４間にボルト体Ｂが嵌挿されるようにして折板屋根Ｙの頂部Ｙ１ａの上面に載置する（図９（ａ）参照）。
【００８１】
次に、仮止め状態にしていた緊締用ボルト２５および緊締用ナット２６を締め付けていくと、２つのガイド突片１０ａ、１０ａが対応した貫挿開口部１０ｂ、１０ｂに貫挿して２つの台座部１１、１１が隙間なく密着する。それと同時に、螺合による締め付け力によって両脚片１２、１２が近接して、両凹所１４、１４が管状体３１の外周胴部３１ｂを取り囲むように挟み込むとともに、両凹所１４、１４の底部片１４ａ、１４ａおよび両側部１４ｂが管状体３１の外周胴部３１ｂのネジ溝３１ｄに嵌合し、係止されるとともに、底部片１４ａの下部の角が管状体３１のネジ溝３１ｄに係止されて、同時に両側部１４ｂ、１４ｂも管状体３１のネジ溝３１ｄに係止され、挟着具１はボルト体Ｂにしっかりと固定される（図９（ｂ）および同図における要部拡大部分縦断面図を参照）。
【００８２】
こうして折板屋根Ｙに取り付けた屋根上取付具Ａの台座部１１の上には、各種機器・部材類を取り付けることができる。
【００８３】
以上に示した屋根上取付具の取付構造によれば、第１実施形態と同様、２つの挟着部材１０、１０のそれぞれが、ガイド突片１０ａと、貫挿開口部１０ｂとを一体に備えて雌雄一体構造となっているため、両者をバランスよく均一な状態で結合させて折板屋根Ｙより突出したボルト体Ｂに挟着させることができる。
【００８４】
さらに、挟着片１３がボルト体Ｂに固定された管状体３１の外周胴部３１ｂに形成したネジ溝３１ｄ（係止部）に係止されて、ボルト体Ｂに挟着し固定される構造となっているため、屋根上取付具Ａがボルト体Ｂから外れるおそれはほとんどない。また、本実施形態は外周胴部３１ｂにネジ溝３１ｄが形成された管状ネジを管状体３１として使用できる構成であるため、市販の管状ネジを使用すれば簡便に実施することができる。
【００８５】
したがって、この屋根上取付具の取付構造によれば、２つの挟着部材１０、１０のバランスのとれた結合と、挟着片１３の管状体３１の係止部への係止とがあいまって、ボルト体Ｂへの強固な挟着が実現でき、ボルト体Ｂから外れることを確実に阻止できる。また、ボルト体Ｂに対して管状体３１を装着させて挟着片１３がボルト体Ｂに直接係止しない構造となっているため、挟着具１の装着対象であるボルト体Ｂがネジ山の損傷により十分な被挟着性を有していない場合に特に有効である。
【００８６】
ようするに、２つの挟着部材１０、１０がバランスよく結合でき、その状態を保持しやすい構造であるため、外力に対して堅固であり挟着が緩むおそれはほとんどないし、かりに結合のバランスが悪くなったとしても、挟着片１３がボルト体Ｂに管状体３１を介してしっかりと係止されるため挟着が外れるようなことはない。
【００８７】
以上の３つ実施形態のうち、第１、第２実施形態については、係止部が鍔片３１ｅまたは締付バンド３２で構成され、さらに、挟着部材１０が折板屋根Ｙの頂部Ｙ１ａに着接されているため、挟着具１の上下へのずれは発生し得ないが、管状体３１の外周胴部３１ｂにネジ溝３１ｄ等の凹溝を形成して係止力を高めるほうが挟着具１を強固に固定するうえで望ましい。
【００８８】
なお、挟着具１の下方への移動を規制するためには、脚片１２の下端のみが頂部Ｙ１ａに接触する程度のものでもよい。また、屋根上取付具Ａのより確実な安定維持を図るために、接着テープ等で基部片１３ａを頂部Ｙ１ａに固着するようにしてもよい。
【符号の説明】
【００８９】
Ａ      屋根上取付具
１      挟着具
１０      挟着部材
１０ａ      ガイド突片
１０ｂ      貫挿開口部
１１      台座部
１１ａ      対向片
１１ｂ      切欠き凹所
１２      脚片
１３      挟着片
１３ａ      基部片
１３ｂ      段部片
１４      凹所
１４ａ      底部片
１４ｂ      両側部
３１      管状体
３１ａ      縮径用スリット
３１ｂ      外周胴部
３１ｃ      内周面
３１ｄ      ネジ溝（凹溝）
３１ｅ      鍔片（第１実施形態）
３２      締付バンド（第２実施形態）
Ｂ      ボルト体
Ｂ１      軸部
Ｂ２      ナット
Ｙ      折板屋根（波形屋根）
Ｙ１      山部
Ｙ１ａ      頂部
【図１】
0005588730.tif 000002
【図２】
0005588730.tif 000003
【図３】
0005588730.tif 000004
【図４】
0005588730.tif 000005
【図５】
0005588730.tif 000006
【図６】
0005588730.tif 000007
【図７】
0005588730.tif 000008
【図８】
0005588730.tif 000009
【図９】
0005588730.tif 000010